(57)【要約】本発明は、従来のアイロン台の表面領域を拡張するプラットフォーム組立体及び方法に関する。プラットフォーム組立体はアイロン台の収束端を覆い、アイロン台の表面領域を拡張する。本発明のプラットフォーム組立体は、特にシャツのアイロンかけに便利な形状を提供する放物形状の外側端部を具える。使用者は、プラットフォーム組立体を取り外して収納し、アイロン台を簡単に元に戻すことができる。【選択図】図８
2009502314.tif 000002
【特許請求の範囲】
【請求項１】
アイロン台面の領域を拡張する方法において、
ａ．上側放物形状外側端部を具える第１の翼部分を作るステップと、
ｂ．上側放物形状外側端部を具える第２の翼部分を作るステップと、
ｃ．前記第１の翼部分の前記外側端部をプラットフォームの外側端部に整列させるステップと、
ｄ．前記第２の翼部分の前記外側端部を前記プラットフォームの前記外側端部に整列させるステップと、
ｅ．前記第１の翼部分と前記第２の翼部分を前記プラットフォームの底側に取り付け、この取り付けるステップにより、プラットフォーム組立体を作るステップと、
ｆ．前記プラットフォーム組立体をアイロン台の収束端に固定するステップを具えることを特徴とする方法。
【請求項２】
アイロン台面の領域を拡張する方法において、
ａ．平坦面に沿ってシャツを置くステップと、
ｂ．前記シャツのヨークの外側端部に沿ってアウトラインをスケッチし、前記アウトラインによりテンプレートを作るステップと、
ｃ．前記テンプレートを使用して第１の翼部分、第２の翼部分及びプラットフォームを作るステップと、
ｄ．前記第１の翼部分及び前記第２のの翼部分を前記プラットフォームの底側に取り付け、前記各翼部分の他端を前記プラットフォームの前記外側端部に整列させ、前記取り付けステップにより、プラットフォーム組立体を作るステップと、
ｅ．前記プラットフォーム組立体をアイロン台の収束端上に固定するステップを具えることを特徴とする方法。
【請求項３】
拡張プラットフォーム組立体において、
ａ．実質的に放物形状の上側外側端部と、湾曲した内側端部を具える第１の翼部分と、
ｂ．実質的に放物形状の上側外側端部と、湾曲した内側端部を具える第２の翼部分と、
ｃ．対称的な実質的に放物形状の上側外側端部を有し、先端部側部及び底側部を有し、前記第１の翼部分及び第２の翼部分が前記プラットフォームの底側部に取り付けられ、前記プラットフォームの前記外側端部が各翼部分の前記外側端部に整列しているプラットフォームと、
ｄ．前記第１の翼部分、前記第２の翼部分及び前記プラットフォームの底側部間に位置する空洞であって、この場合は、前記プラットフォーム組立体がアイロン台に取り付けられ、前記アイロン台が収束端、ストレートエッジ及び前記収束端から前記ストレートエッジへと延在する二つの側端部を具え、前記収束端が前記空洞に挿入され、前記空洞が前記収束端及び二つの側端部に接する位置にある空洞と、を具えることを特徴とするプラットフォーム組立体。
【請求項４】
請求項３に記載の前記拡張プラットフォーム組立体が、さらに、
ａ．前記プラットフォーム及びアイロン台面の上に延在するカバーと、
ｂ．前記カバーの下側に連結し、当該カバーの下側から延在するカバーストラップと、を具えることを特徴とするプラットフォーム組立体。
【請求項５】
請求項３に記載の前記拡張プラットフォーム組立体が、さらに、
前記第１の翼部分及び前記第２の翼部分に隣接する交差部材を具えることを特徴とするプラットフォーム組立体。
【請求項６】
請求項４に記載の前記拡張プラットフォーム組立体が、さらに、
ａ．前記プラットフォーム及び前記アイロン台面の上に延在し、前記カバーの下に位置する表面パッドを具えることを特徴とするプラットフォーム組立体。
【請求項７】
拡張プラットフォーム組立体において、
ａ．実質的に放物形状の上側外側端部及び湾曲した内側端部を具える第１の翼部分と、
ｂ．実質的に放物形状の上側外側端部及び湾曲した内側端部を具える第２の翼部分と、
ｃ．対称的な実質的に放物形状の上側外側端部を有し、先端側部及び底側部を有し、前記第１の翼部分及び第２の翼部分が前記プラットフォームの底側部に取り付けられ、前記プラットフォームの前記外側端部が各翼部分の前記外側端部に整列しているプラットフォームと、
ｄ．前記第１の翼部分、前記第２の翼部分及び前記プラットフォームの底側部の間に位置し、一方で前記プラットフォームが前記プラットフォームの中心線にヒンジ部分を具え、前記ヒンジ部分によって前記プラットフォームを半分に折りたたみ可能にする空洞と、を具えることを特徴とするプラットフォーム組立体。
【請求項８】
請求項７に記載の前記拡張プラットフォーム組立体において、さらに、
ａ．前記プラットフォーム及びアイロン台面の上に延在するカバーと、
ｂ．前記カバーの下側に連結し、前記カバーの下側から延在するカバーストラップと、を具えることを特徴とするプラットフォーム組立体。
【請求項９】
請求項７に記載の前記拡張プラットフォーム組立体が、さらに、
前記第１の翼部分及び第２の翼部分に隣接する交差部材を具えることを特徴とするプラットフォーム組立体。
【請求項１０】
請求項８に記載の前記拡張プラットフォーム組立体が、さらに、
前記プラットフォーム及びアイロン台面の上に延在し、前記カバーの下に位置する表面パッドと、を具えることを特徴とするプラットフォーム組立体。
【発明の詳細な説明】
【技術分野】
【０００１】
本発明は、従来のアイロン台のアイロンかけ面を拡張する装置に関する。
【０００２】
アイロン台は何年もの間、多くの人が愛用する衣類をパリっとしたきれいな皺のないものに仕上げるために使用されてきた。アイロンかけの一般的な目的というのは明白である。皺をのばして所望の外観にするために使用者はアイロンを介して熱をかけるべく衣類をアイロン台に置く。アイロン台の型は何年もの間、変わっておらず、端は３つの側部が互いに約９０度で交わり、他端は湾曲した角に収束するように構成されている。従来のアイロン台を上から見た図が図１Ａに示されている。アイロン台１５は収束端１９へ向けて前方へ拡張する側端部１８ａ，１８ｂを伴うストレートエッジ１７を具える。アイロン台１５の上側面は使用者がアイロンかけする表面を提供している。アイロン台１５の形状は、明らかに非常に広範囲において使用されているが、アイロン台１５には、主に衣類にアイロンをかける時に、アイロンかけを完了するまでに使用者はアイロン台の上にある衣類の配置変えを何回もしなければならない、といった欠点がある。
【０００３】
シャツ又はブラウスのアイロンかけは、アイロンかけ工程において何度も配置する必要がある。さらに、使用者が衣類の配置変えをしても、特定の領域に到達できなかったり、時として、使用者にアイロンかけを完了するのに必要な領域を提供するのに配置変えが非効率的である可能性がある。従来のシャツ又はブラウスは広く平らな範囲、特に背面を具えており、この領域をアイロンをかけるためには、使用者は継続的にシャツの配置変えをしなくてはならない。この配置変えは、肩や脇の下の回りになると、さらに単調で退屈な作業となる。この継続的なシャツの配置変えの作業は、必然的にアイロンかけを完了する作業において問題を起こす。さらに、アイロンかけ工程での各配置変えは、完璧にアイロンのかかった皺無しのシャツにするために使用者が配置変えをして、特定範囲を何度もアイロンかけをしたりする作業が必須である。
【０００４】
先行技術は、これらの諸問題に取り組むために、従来のアイロン台の様々な改良を行っている。従来のアイロン台の改良を示す先行技術の一つに米国特許第６，１５１，８１７号（引用文献Ｅｉｂｅｎ）がある。この引用文献Ｅｉｂｅｎは、並んで延在する二つの端部セクションを有するアイロン台に関する。この文献は、一のセクションが衣類をアイロンかけする領域を提供し、狭いセクションがシャツの袖をアイロンかけするために設けられており、これらの二つのセクションはギャップによって分離されている。引用文献Ｅｉｂｅｎでは、従来のアイロン台の変形例について記載をしているが、アイロンかけ工程を完了するために、アイロン台面上でシャツを動かすという要求については取り組んでいない。
【０００５】
従来のアイロン台の変形例を含むもう一つの先行技術の引用文献は、Ｂｒｅｅｎ  ｅｔａｌ．の米国特許第５，０１６，３６７号（引用文献Ｂｒｅｅｎ）である。この引用文献Ｂｒｅｅｎは、主台と、この主台に取り付けた格納式の二つの揺動可能な拡張台を具えるアイロン台に関する。引用文献Ｂｒｅｅｎの拡張台と主台は、その狭い部分でズボンの足及び袖をアイロンかけをするために提供されている。この引用文献Ｂｒｅｅｎもまた、シャツに備わる各部分の取り組みに失敗しており、従って、衣類の配置変えを何度も必要とする工程のままである。
【０００６】
Ｔｏｕｔｏｕｎｃｈｉａｎに付与された米国特許第６，２８６，２３７号は、アイロンかけ工程を容易にする様々な周辺付属品を有する複合的機能付アイロン台に関する。複合的付属品はアイロン台の端において表面領域を拡張し、また、反対端において複類のアイロンを置くプレートを提供している。引用文献Ｔｏｕｔｏｕｎｃｈｉａｎの欠点は、複合的付属品を具えていることによりアイロン台の組立が非常に複雑なことである。
【０００７】
上述の先行技術は、消費者市場で広く使用されている従来のアイロン台を拡張する多様性又は性能に欠ける。従って、消費者は、従来のアイロン台から簡単に着脱できる。アイロン台の表面領域を拡張できる追加の付属品を必要とする。このような付属品はアイロン台の現在の消費者市場に容易に浸透するであろう。
【０００８】
本発明は、従来のアイロン台の表面領域を拡張するプラットフォーム組立体及び方法に関する。このプラットフォーム組立体はプラットフォーム組立体の底側にある空洞にアイロン台の収束端を挿入することを通してアイロン台に容易に連結する。プラットフォーム組立体は収束端を覆い、アイロン台の表面領域を拡張する。使用者は始めにアイロン台のパッドとカバーを取り外す。つまり、プラットフォーム組立体は都合良くアイロン台にパッドとカバーでそのまま固定される。プラットフォーム組立体はストラップ又は交差部材を使用してアイロン台に固定してもよい。プラットフォーム組立体は二つの翼部分と、プラットフォームから構成される。この二つの翼部分及びプラットフォームは、いずれかの従来の方法を用いて組立てて、プラットフォーム組立体を形成する。プラットフォーム組立体は、シャツをアイロンするのに特に便利な構造を提供する、放物形状の外側端部を有する。使用者はアイロン台を元の形に戻すためにプラットフォーム組立体を容易に取り外し収納できる。従って、本発明の目的は拡張プラットフォーム組立体を提供することであり、この拡張プラットフォーム組立体は、実質的に放物形状の上部外側端部と湾曲した内側端部を具える第１の翼部分と；実質的に放物形状の上部外側端部と湾曲した内側端部を具える第２のの翼部分と；対称形の実質的に放物形状の上部外側端部を有し、上端部と底部を有し、前記第１の翼部分と第２の翼部分が前記プラットフォームの底部に固定されており、前記プラットフォームの外側端部が各翼部分の前記外側端部に整列しているプラットフォームと；前記第１の翼部分、前記第２のの翼部分及び前記プラットフォームの底部の間に位置する空洞と；を具える。
【０００９】
また、本発明の目的はアイロン台の表面領域を拡張する方法を提供することであり、この方法は、放物形状の上部外側端部を具える第１の翼部分を作るステップと；放物形状の上部外側端部を具える第２の翼部分を作るステップと；前記第１の翼部分の外側端部をプラットフォームの外側端部に整列させるステップと；前記第２の翼部分の外側端部を前記プラットフォームの外側端部に整列させるステップと；前記第１の翼部分と第２のの翼部分を前記プラットフォームの底部に固定するステップであって、当該固定ステップによりプラットフォーム組立体を作るステップと；前記プラットフォーム組立体をアイロン台の収束端に固定するステップと；を具える。
【００１０】
また、本発明の目的はアイロン台の表面領域を拡張する方法を提供することであり、この方法は、平坦な面にシャツを広げるステップと；前記シャツの外側端に沿ってアウトラインをスケッチするステップであって、当該アウトラインがテンプレートを作るステップと；前記テンプレートを使用して、第１の翼部分、第２の翼部分及びプラットフォームを作るステップと；前記第１の翼部分と第２の翼部分を前記プラットフォームの底部に固定するステップであって、各翼部分の他端が前記プラットフォームの外側端に整列しており、前記固定ステップがプラットフォーム組立体を作るステップと；前記プラットフォーム組立体をアイロン台の収束端に固定するステップと；を具える。
【００１１】
上記の目的及び下記にて明らかにする他の目的に従って、本発明を添付の図面を用いて以下の通り説明する。
【００１２】
図１Ａは従来のアイロン台１５を上から見た図を示す。図１Ｂはアイロン台１５の斜視図を示す。側部１８ａ及び１８ｂはストレートエッジ１７から収束端１９に向けて延在している。従来のアイロン台１５は、アイロン台１５の収納を容易にする折りたたみ可能な脚１６によって通常支えられている。しかしながら、いくつかのアイロン台は壁又はクローゼットに収納することができ、支持部材と共に壁から延在する。支持手段に関係なく、アイロン台は通常図１Ａ及び１Ｂに示すような形状を有する。
【００１３】
図２は本発明のプラットフォーム組立体の上端面の図を示す。プラットフォーム組立体１０は先端表面１４を含む。アイロン台１５の収束端１９に取り付けたプラットフォーム組立体１０の下側部分を図３に示す。図に示すように、この下側部分は第１の翼部分１２ａと第２の翼部分１２ｂを具える。プラットフォーム組立体１０はカバーストラップ２０ａ及び２０ｂが付いたカバー２０を具える。カバーストラップ２０ａ及び２０ｂはベルクロ、ファスナ又はボタンなどの従来の締結具を介して連結することができる。また、他の実施例では、カバー２０付のプラットフォーム組立体を従来のアイロン台１５に固定する、カバーストラップでできた簡単なタイであってもよい。
【００１４】
図３に示すように、プラットフォーム組立体は従来のアイロン台の収束端に係合して、アイロン中に使用する表面領域を拡張する。この拡張した表面領域は、使用者が使用する表面領域を増やすために、便利な機構を提供する。プラットフォーム組立体は、プラットフォーム組立体の形に適合するシャツのアイロンかけに特に便利である。プラットフォーム組立体は翼部分１２ａと１２ｂを具え、それらは典型的なシャツのスリーブ範囲に延在し、先端表面領域１４は、あらゆるシャツの有意な部分にあった適用範囲を設ける広く平らな面を提供する。また、プラットフォーム組立体の形状は、従来の台よりも使用者がシャツをひっくり返す回数を少なくする一方、シャツの大きな部分の有意な適用範囲をより広く提供する。従って、収束端１９の付いた従来の台とは対照的に、このプラットフォーム組立体はアイロンかけ工程の間に必要とするシャツの位置変えを減らす。従って、プラットフォーム組立体は、位置変えを少なくすることに加え、シャツのアイロンかけに要する時間も削減する。
【００１５】
図４は本発明のプラットフォーム組立体の構成要素を示す。図３に示すように、先端カバー２０は先端パッド面５１とプラットフォーム組立体１０の先端表面１４を覆っている。カバー２０はプラットフォーム組立体１０に延在し、プラットフォーム組立体１０だけでなく、従来のアイロン台１５のその他の部分も覆っている。
【００１６】
図５Ａ及び５Ｂはプラットフォーム組立体１０の構成要素部分を示す。図５Ａ及び５Ｂに示すように、翼部分１２ａ及び１２ｂは二つの別々の構成部品であり、プラットフォーム組立体１０のプラットフォーム２３に連結される。双方の翼部分１２ａ、１２ｂは放物形状を有する上部外側端部を具える。プラットフォーム２３の上部外側端部はまた、翼部分１２ａ、１２ｂの外側端部に整列した放物形状を具える。構成要素１２ａ、１２ｂ及びプラットフォーム２３が連結すると、空洞２２ができる。空洞２２には従来のアイロン台のの収束端１９を挿入することができる。使用中、収束端１９は翼部分１２ａ、１２ｂの湾曲した内側端部１３ａと１３ｂに沿って空洞２２の外側周辺に接触する。プラットフォーム２３は底面２６を具え、この底面２６はプラットフォーム組立体の先端表面領域１４に沿ってほぼ平坦である。図５Ｂの実施例は交差部材１２ｃを具える。この交差部材１２ｃはプラットフォーム組立体をアイロン台１５に固定するための別の機構を提供する。図に示す交差部材１２ｃは空洞２２の上に延在し、翼部分１２ａ及び１２ｂの内側部分に連結されている。
【００１７】
図５Ｃは本発明のもう一つの実施例を示す。図５Ｃのプラットフォーム組立体は本質的に図５Ａと同じ構成であるが、プラットフォーム２３は図に示すように、プラットフォーム２３を曲げて折りたためるようにするヒンジ部分２６ａを具える。使用者は、使用しない時に、プラットフォームを簡単に折りたたんで、保管することができる。
【００１８】
図６は従来のアイロン台１５の上に設置したプラットフォーム組立体１０を上から見た図を示す。この平面図は、組立体及びアイロン台１５の上にカバー２０を載せていないプラットフォーム組立体１０の付属部品を単に示す。好ましくは、プラットフォーム組立体１０はアイロン台１５の収束端１９を完全に覆っており、プラットフォーム組立体が側部１８ａ及び１８ｂに接触して、アイロン台１５のストレートエッジ１７へ垂直に延在する連続ストレートエッジを作る。カバー２０がプラットフォーム組立体１０とアイロン台１５の上に設置されると、アイロンをかける目的の連続平坦面ができる。プラットフォーム組立体は、理想的には、外側に湾曲しており、側端部１８ａ及び１８ｂの方へ後方に向けて延在する放物形状の外側端部を含む翼部分を具える。
【００１９】
図７はプラットフォーム組立体の形状を作るのに使用できるテンプレートを示す。図に示すように、テンプレート２５はシャツ３０を配置しており、テンプレートの周辺端部は外側に延在して、シャツ３０の外側端部を追随している。従って、このテンプレート２５を用いて、プラットフォーム２３及び翼部分１２ａ、１２ｂを切り取ることができる。
【００２０】
図８はプラットフォーム組立体１０及び翼部分１２ａ、１２ｂの分解図を示す。図８に示すように、これらの構成要素は互いに連結して、完全なプラットフォーム組立体１０を作る。これらの様々な構成要素に関連する材料には、木、硬化プラスチック、金属、又は好適な繊維板が含まれる。この構成要素は、ねじ、クランプ、又はその他の締結具など、追加の締結要素を用いて連結することができる。また、これらの構成要素は、複合プラットフォーム組立体１０用にこれらの構成要素を互いに結合するのに役立つ好適な接着剤を使用して連結してもよい。
【００２１】
図９Ａ、９Ｂ及び９Ｃは本発明のプラットフォーム組立体１０のもう一つの実施例を示す。図９Ａ乃至図９Ｃのプラットフォーム組立体１０は上述の実施例とほぼ同じ形状であるが、翼部分１２ａ及び１２ｂを小さくして、小さいサイズのシャツの袖領域内に延在するようにしている。しかしながら、上述の実施例と一致して、構成要素は図９Ｃに示すように隣接していてもよく、翼部分１２ａ及び１２ｂはプラットフォーム２３の底面２６に連結しており、従って、空洞２２にアイロン台の収束端１９を挿入できる。
【００２２】
図１０は従来のアイロン台の上にあるプラットフォーム組立体の斜視図を示す。アイロン台のストレートエッジ１７における切り取られた部分は、アイロン台がまずパッド５５で覆われており、次いでカバー２０がパッドの上に延在すると共にプラットフォーム組立体の上で拡張して、アイロンかけ用の複合平坦面を作っていることを示す。アイロンかけ面全体に平坦面を提供するために、カバー２０の下にあるパッドが図１１及び図１１Ａで示されている。図１１で示すように、表面パッド５１はアイロン台１５に接するプラットフォーム組立体１０の領域上に延在している。このバッド５１はストレートエッジ１７までアイロン台１５の面全体を拡張する。パッド５１の下には下部パッド５３があり、下部パッド５３はアイロン台のストレートエッジ１７からプラットフォーム組立体１０のプラットフォーム２３の後側ストレートエッジ内へ延在し、ここに接触している。表面パッド５１がプラットフォーム組立体１０の上にパッドを提供している。プラットフォーム組立体１０はアイロン台１５に固定されると、パッド、プラットフォーム組立体１０及びアイロン台がすべてカバー２０の中に配置される。
【００２３】
本発明は、もっとも実用的で好ましい実施例と考えられるものを例示して説明した。しかしながら、本発明の範囲内での逸脱や当業者にとって自明な改良も本発明に含まれると考えられる。
【図面の簡単な説明】
【００２４】
【図１Ａ】図１Ａは、従来のアイロン台の先端面領域を示す図である。
【図１Ｂ】図１Ｂは、従来のアイロン台の斜視図である。
【図２】図２は、本発明のプラットフォーム組立体の先端面を示す図である。
【図３】図３は、従来のアイロン台に取り付けたプラットフォーム組立体の底面図である。
【図４】図４は、本発明のプラットフォーム組立体に関連する各層の斜視図である。
【図５Ａ】図５Ａは、プラットフォーム組立体及びその空洞の底面図である。
【図５Ｂ】図５Ｂは、本発明のプラットフォーム組立体の底面図であり、空洞にわたした連結部材を示す。
【図５Ｃ】図５Ｃは、本発明のプラットフォーム組立体の代替の実施例を示す図である。
【図６】図６は、従来のアイロン台の上にあるプラットフォーム組立体の平面図である。
【図７】図７は、本発明のプラットフォーム組立体用のデザインプレートを示す図である。
【図８】図８は、本発明のプラットフォーム組立体の構成要素を示す図である。
【図９Ａ】図９Ａは、本発明のプラットフォーム組立体のもう一つの実施例を示す図である。
【図９Ｂ】図９Ｂは、図９Ａの実施例の翼部分を示す図である。
【図９Ｃ】図９Ｃは、図９Ａの実施例の構成要素の組立を示す図である。
【図１０】図１０は、従来のアイロン台に取り付けられたプラットフォーム組立体の斜視図である。
【図１１】図１１は、本発明のプラットフォーム組立体と共に用いたフォームパッドを示す図である。
【図１Ａ】
2009502314.tif 000003
【図１Ｂ】
2009502314.tif 000004
【図２】
2009502314.tif 000005
【図３】
2009502314.tif 000006
【図４】
2009502314.tif 000007
【図５Ａ】
2009502314.tif 000008
【図５Ｂ】
2009502314.tif 000009
【図５Ｃ】
2009502314.tif 000010
【図６】
2009502314.tif 000011
【図７】
2009502314.tif 000012
【図８】
2009502314.tif 000013
【図９Ａ】
2009502314.tif 000014
【図９Ｂ】
2009502314.tif 000015
【図９Ｃ】
2009502314.tif 000016
【図１０】
2009502314.tif 000017
【図１１】
2009502314.tif 000018
【図１１Ａ】
2009502314.tif 000019
【国際調査報告】
2009502314.tif 000020